(57)【要約】【課題】人間がプールなどの水槽の吸込み口に吸い込まれた場合でも、自力脱出を容易にできるような水槽内貯水の吸込み機構を、簡便な形で提供する。【解決手段】水槽内貯水の吸込み機構において、水槽と、水槽吸込み口を接続され、上部が大気に開放された構造を有する吸込み配管と、吸込み配管に接続されたポンプと、を有する吸込み機構である。【選択図】図１
2008121393.tif 000002
【特許請求の範囲】
【請求項１】
水槽内貯水の吸込み機構において、
水槽と、
水槽吸込み口を接続され、上部が大気に開放された構造を有する吸込み配管と、
吸込み配管に接続されたポンプと、
を有する吸込み機構。
【請求項２】
吸込み配管が、側溝を含み、側溝が、水槽及びポンプに接続され、及び側溝の上部が大気に開放された構造を有する、請求項１記載の水槽内貯水の吸込み機構。
【請求項３】
水槽が、プールである請求項１又は２記載の水槽内貯水の吸込み機構。
【請求項４】
請求項３記載の水槽内貯水の吸込み機構を有するプール。
【発明の詳細な説明】
【技術分野】
【０００１】    本発明は、水槽内貯水の吸込み機構に関し、特に、人間がプール吸込み口に吸い込まれて溺死することを防止することができるプールなどの水槽内貯水の吸込み機構に関するものである。
【背景技術】
【０００２】  近年プール吸込み口において、子供の死亡事故が生じており、その防止を行う必要性が高まっている。【０００３】  一般に、プールの水は、吸込み口からポンプを用いて吸込み、吐出管を使ってプール内に吐出して循環するようになっている。また、流れるプールの場合には、水を所定の場所から吸込み、異なった場所から噴射することで、プールの中に一定の水の流れを作ることができるように工夫されている。このように循環している水の吸込み口に人間が近づくと、その吸引力により吸込み口に吸い込まれ、脱出が不可能となり溺れ死ぬという事故が多く発生している。【０００４】  そのような事故を防止するため、特許文献１には、複数の小径な排水（吸込み）枝管を排水（吸込み）本管と共に配置したプール用排水枡の発明を開示している。また、特許文献２ではセンサを用いて異物が排水（吸込み）口を塞いだことを検出する発明を開示している。しかしながら、これらの技術は煩雑であり、より簡便に、しかも完全に事故を防ぐことができる技術が求められている。
【特許文献１】  特開平１０−８７５１号公報
【特許文献２】  特開２００１−７３５７６号公報
【発明の開示】
【発明が解決しようとする課題】
【０００５】  水槽内貯水の排水時に、人間がプールなどの吸込み口に吸い込まれた場合でも、吸込み圧力の上昇を抑制し、自力脱出を容易にできるような水槽内貯水の吸込み機構を、簡便な形で提供することを課題とする。
【課題を解決するための手段】
【０００６】  本発明は、水槽内貯水の吸込み機構において、水槽と、水槽吸込み口を接続され、上部が大気に開放された構造を有する吸込み配管と、吸込み配管に接続されたポンプと、を有する吸込み機構である。好ましくは、吸込み配管が、側溝を含み、側溝が、水槽及びポンプに接続され、及び側溝の上部が大気に開放された構造を有する、水槽内貯水の吸込み機構である。また、本発明は、水槽が、プールである水槽内貯水の吸込み機構である。【０００７】  本発明は、その水槽内貯水の吸込み機構を有するプールである。
【発明の効果】
【０００８】  本発明により、水槽内貯水の排水時に、人間がプール吸込み口に吸い込まれた場合でも、吸込み圧力の上昇を抑制し、自力脱出を容易にできるような水槽内貯水の吸込み機構を、簡便な形で得ることができる。
【発明を実施するための最良の形態】
【０００９】  本発明の水槽内貯水の吸込み機構は、排水ポンプの稼動中、人間がプールなどの水槽の吸込み口に吸い込まれた場合に、上部が大気に開放された吸込み配管中に、空気が流入することによって、吸込み口での吸引力を抑制することを特徴とする。本明細書において「吸込み配管」とは、後述する吸込み管、側溝、側管など、本発明の吸込み機構を構成する配管をいう。以下、本発明の吸込み機構をプールに応用した場合を例にとり、本発明の構造を具体的に説明する。【００１０】  図１に、本発明の第一の実施態様の構造を模式的に示す。プール１は、プール側壁２及びプール底３により水がプール内に保たれる。【００１１】  プール１は、プール側壁２に配置されたプール吸込み口５（水槽吸込み口に対応する）を介して側溝１１と接続している。プール吸込み口の直径は、概ね４０ｃｍであるが、排水ポンプの能力によって異なる。プール吸込み口５には、プール吸込み口金網４が設置され、人間などの異物がプールから側溝へ入らない構造になっている。【００１２】  プール吸込み口５の水面からの深さは、必要に応じて任意の位置とすることができる。図１では、プール吸込み口５はプールの水面に近い位置に配置するように図示されている。このような位置とすることで、例えば流れるプールの場合には、プール表層の水に水流を形成することができる。また、図２に示すようにプールの底付近に配置しても良い。また、図３に示すように、プール吸込み口５は、プールの水面が吸込み口の途中にあるような位置に設けても良い。また、図４に示すように、プールの底付近とプールの水面付近の両方に配置してもよい。【００１３】  図１において、側溝の側壁（側溝側壁１５）には、側溝吸込み口１３が配置されている。側溝吸込み口１３は、水面よりｈだけ低いところに側溝吸込み口１３の上端があるように配置されている。また、側溝側壁１５には、安全のため、側溝蓋１２で覆われている。この側溝蓋１２は、大気中の空気が側溝１１中にスムーズに入るように一つ、又は複数の孔を有する。このように、大気中の空気が自由に側溝に出入できるように、側溝の上部が大気に開放された構造となっていることが、本発明の特徴である。なお、図３に示すように、プール吸込み口５がプールの水面が吸込み口の途中にあるような場合には、空気はプール吸込み口５を通って側溝１１に入ることができるので、側溝蓋１２が孔を有する必要はない。また、この場合、プール水面からプール吸込み口５の下部までの長さは、水の吸込み速度に応じて適宜、適切な値にすることができる。【００１４】  側溝吸込み口１３は、ポンプ２１と配管によって接続されている。この配管には、図１などに図示されているように、側溝吸込み口バルブ２３を設けてもよい。ポンプ２１から吐出された水は、再度プールに戻されるが、このとき、必要に応じて、水処理装置等を配置し、水を浄化してからプールに戻してもよい。また、流れるプールの場合は、プール内に水の流れを作り出すために、加圧してプールに戻してもよい。また、プールの貯水を抜く必要があるときは、貯水は外部に吸込みすることができるような配管構造となっている。【００１５】  なお、プール全体の水抜きをするときのために、図２���示すように、側溝バイパス吸込み口１４及びバイパス管２２を設置しても良い。バイパス管２２を通して吸込みするために、側溝吸込み口バルブ２３及び側溝バイパス吸込み口バルブ２４を設置し、水流の切り替えを可能にする。【００１６】  次に、本発明の第一の実施態様の動作を、図１を用いて説明する。側溝吸込み口バルブ２３を開け、ポンプ２１を作動させると、水はプール１からプール吸込み口５、側溝１１及び側溝吸込み口１３を経由し、ポンプ２１により吸込まれる。【００１７】  また、図２のよう構造の場合には、水は通常の動作の場合、側溝吸込み口１３を経由するので、側溝吸込み口バルブ２３を開け、側溝バイパス吸込み口バルブ２４を閉じる。ポンプ２１を作動させると、水はプールからプール吸込み口５、側溝１１及び側溝吸込み口１３を経由し、ポンプ２１により吐出される。【００１８】  このとき、図５に示すように、人間などがプール吸込み口５をふさぐと、プール吸込み口５を通る水の流れが抑制されるため、側溝１１の水面は下がる。その結果、図５示すように水面はｈまで下がるが、そこまで水面が下がるとポンプが空気を吸い込むため、それ以上水面は下がらない。また、ポンプ２１は水を吸い込まなくなるので、ポンプによる水の吸引に起因する水のｈ以上の圧力低下は生じなくなる。したがって、人間がプール吸込み口５に吸い込まれる圧力は、水頭ｈで決まる圧力でしかなく、人間は容易に逃げ出すことができる。【００１９】  なお、図２の構造のプールにおいて、プールの水を全部排出する必要があるときは、側溝吸込み口バルブ２３を閉じ側溝バイパス吸込み口バルブ２４を開け、ポンプ２１を作動する。【００２０】  図６に、本発明の第二の実施態様の構造を模式的に示す。この実施態様では、側溝１１の代わりに管状の側管３１を用いた点が異なる。プール吸込み口５と側管３１は、吸込み管６によって接続されている。【００２１】  第一の実施態様と同様、人間がプール吸込み口５をふさいだ場合でも、図７に示すように側管３１内の水面はｈだけ下がるだけである。したがって、人間は容易にプール吸込み口５から脱出することができる。この実施態様の場合は、側溝を設ける場合と比べ、より低コストに本発明の目的を達成することができる。【００２２】  なお、プールの水を全部排出する必要があるときは、側管吸気口蓋３６を閉じることで大気中から空気が側管吸気口３４へ入ることを防ぎ、ポンプ２１を作動することで行うことができる。【００２３】  また、図８に、本発明の第三の実施態様を模式的に示す。この実施態様では、吸込み管６はプール水面付近にあるプール吸込み口５に接続されている。また、側管３１は、吸込み管６の上方の側面に配置する構造となっている。この構造によっても、人間がプール吸込み口５をふさいだ場合、側管３１の水面はｈだけ下がり、ポンプは側管を通して空気を吸い込むこととなる。したがって、プール吸込み口５における吸引力は、水の高さｈで決まる圧力に相当する力以上にはならず、人間は容易にプール吸込み口５から脱出することができる。【００２４】  なお、特に第二及び第三の実施態様の場合、吸込み管６や側管３１のコンダクタンスが高い場合には、人間がプール吸込み口５をふさがな���場合でも、側管吸気口３４から空気が流入し、通常の吸込みに支障をきたすことがある。したがって、吸込み管６や側管３１のコンダクタンスは、吸込み管径を所定の径以上にするなどして、吸込みに支障がない程度の配管のコンダクタンスとする必要がある。【００２５】  本発明の吸込み機構では、人がプールの吸込み口に吸い込まれた場合に、ポンプの中には空気が流入することとなる。その際、ポンプが空回りすることとなるので、その空回りをセンサーで検知して、自動的にポンプを停止するシステムを付加することが好ましい。【００２６】  本発明の水槽吸込み機構は、プールのみならず、銭湯や温泉などに用いることもできる。また、水族館や養殖場などの水槽において、魚などの動物が吸込み口に捕らえられることを防ぐために用いることもできる。
【図面の簡単な説明】
【００２７】
【図１】  本発明の第一の実施態様の模式的断面図である。
【図２】  本発明の第一の実施態様の、プール吸込み口がプールの底付近に配置する場合の模式的断面図である。
【図３】  本発明の第一の実施態様の、プール吸込み口が水面付近にある場合の模式的断面図である。
【図４】  本発明の第一の実施態様の、プール吸込み口が二箇所ある場合の模式的断面図である。
【図５】  本発明の第一の実施態様で、人間がプール吸込み口に吸い込まれた場合を示す模式的断面図ある。
【図６】  本発明の第二の実施態様の模式的断面図である。
【図７】  本発明の第二の実施態様で、人間がプール吸込み口に吸い込まれた場合を示す模式的断面図ある。
【図８】  本発明の第三の実施態様の模式的断面図である。
【符号の説明】
【００２８】１  プール
２  プール側壁
３  プール底
４、４ａ、４ｂ  プール吸込み口金網
５、５ａ、５ｂ  プール吸込み口
６  吸込み管
１１  側溝
１２  側溝蓋
１３  側溝吸込み口
１４  側溝バイパス吸込み口
１５  側溝側壁
２１  ポンプ
２２  バイパス管
２３  側溝吸込み口バルブ
２４  側溝バイパス吸込み口バルブ
３１  側管
３３  側管吸込み口
３４  側管吸気口
３５  側管側壁
３６  側管吸気口蓋
５０  人間
【図１】
2008121393.tif 000003
【図２】
2008121393.tif 000004
【図３】
2008121393.tif 000005
【図４】
2008121393.tif 000006
【図５】
2008121393.tif 000007
【図６】
2008121393.tif 000008
【図７】
2008121393.tif 000009
【図８】
2008121393.tif 000010